(57)【特許請求の範囲】
【請求項１】
近位先端部（３．１）を有する中空針（３）を薬剤リザーバ（１）に連結するためのニードルインターフェース（２）であって、
リザーバ（１）の可撓性リザーバ壁（４）に固定される内側リング（５）と、
針（３）に取付け可能な外側リング（６）と
を含み、ここで、内側リング（５）および外側リング（６）の一方は、少なくとも１つの磁石（６．１）を含み、内側リング（５）および外側リング（６）の他方は、磁化可能な材料（５．１）または磁石（６．１）を含み、
ここで、外側リング（６）は、針（３）がリザーバ（１）にある内側リング（５）に取り付けられると、針（３）の軸の一セクションを円周方向に取り囲み、針を定位置に保持し、それによって可撓性リザーバ壁（４）を内側リング（５）と外側リング（６）との間で保持し、針（３）の近位先端部（３．１）が内側リング（５）および外側リング（６）を通って可撓性リザーバ壁（４）を貫通することが可能となる、前記ニードルインターフェース。
【請求項２】
内側リング（５）の磁化可能な材料（５．１）は、生体適合性および／または薬物適合性材料を含むクラッド（５．２）内に埋め込まれる、請求項１に記載のニードルインターフェース（２）。
【請求項３】
内側リング（５）は、リザーバ壁（４）に埋め込まれる、請求項１または２に記載のニードルインターフェース（２）。
【請求項４】
内側リング（５）は、リザーバ壁（４）の内面（４．１）に生物適合性および／または薬物適合性接着剤で接着される、請求項１または２に記載のニードルインターフェース（２）。
【請求項５】
クラッド（５．２）は、リザーバ壁（４）と同じ材料からなる、請求項２〜４のいずれか１項に記載のニードルインターフェース（２）。
【請求項６】
クラッド（５．２）の材料は、エチレンビニルアセテートである、請求項５に記載のニードルインターフェース（２）。
【請求項７】
内側リング（５）は、外側リング（６）から近位の針（３）の長さからリザーバ壁（４）の厚さを引いたものに少なくとも等しい厚さを呈する、請求項１〜６のいずれか１項に記載のニードルインターフェース（２）。
【請求項８】
内側リング（５）は、近位先端部（３．１）を中に配置可能な中央孔（５．４）に対して横断方向に向いている、１つまたはそれ以上の流路（５．３）を含む、請求項７に記載のニードルインターフェース（２）。
【請求項９】
流路（５．３）は、中央孔（５．４）から半径方向に延びる、請求項８に記載のニードルインターフェース（２）。
【請求項１０】
内側リング（５）は、近位方向に延びる保護ケージ（５．５）を含み、内側リング（５）の厚さと、保護ケージ（５．５）の長さとの和が、外側リング（６）から近位の針（３）の長さからリザーバ壁（４）の厚さを引いたものに少なくとも等しい、請求項１〜６のいずれか１項に記載のニードルインターフェース（２）。
【請求項１１】
針（３）は、外側リング（６）に対して摺動可能に配置される、請求項１〜１０のいずれか１項に記載のニードルインターフェース（２）。
【請求項１２】
磁化可能な固定リング（７）をさらに含み、磁化可能な固定リング（７）が、針（３）を覆った状態で廃棄可能であり、固定リング（７）は、針（３）の近位先端部（３．１）に向かってだけ軸方向に移動可能であり、したがってリザーバ（１）に入ることが可能な針（３）の長さが制限される、請求項１１に記載のニードルインターフェース（２）。
【請求項１３】
固定リング（７）は、針（３）の外面に配置された並列している凹部（８）のうちの１つに係合するように適用された、１つまたはそれ以上の弾性アーム（７．１）を含む、請求項１２に記載のニードルインターフェース（２）。
【請求項１４】
可撓性リザーバ壁（４）と、請求項１〜１３のいずれか１項に記載のニードルインターフェース（２）とを含む、薬剤を貯蔵するための薬剤リザーバ（１）。
【請求項１５】
請求項１４に記載の薬剤リザーバと、
該薬剤リザーバ（１）からノズル（１２）に薬剤をポンプ供給するポンプ（１１）と、
薬剤リザーバに連結されるように適用された近位先端部（３．１）を有する中空針（３）と
を含む、薬物送達デバイス（１０）。
【発明の詳細な説明】
【技術分野】
【０００１】
本発明は、近位先端部を有する中空針を薬剤リザーバに連結するためのニードルインターフェースに関する。
【背景技術】
【０００２】
薬物送達デバイスは、使用前に滅菌状態で保たれなければならない薬剤リザーバを含むことができる。リザーバは、リザーバの壁を針で穿孔することによって針に連結することができる。場合によっては、針は、ニードルインターフェースによってリザーバに取り付けることができる。しかし、針と可撓性リザーバ壁との間の連結を確立し、維持することが困難となる場合がある。
【０００３】
したがって、改良型ニードルインターフェースが求められている。
【発明の概要】
【発明が解決しようとする課題】
【０００４】
本発明の目的は、改良型ニードルインターフェースを提供することである。
【課題を解決するための手段】
【０００５】
本目的は、請求項１に記載のニードルインターフェースによって達成される。
【０００６】
本発明の例示的な実施形態が、従属請求項に記載されている。
【０００７】
本発明によれば、近位先端部を有する中空針を薬剤リザーバに連結するためのニードルインターフェースは、リザーバのリザーバ壁に固定される内側リングと、針に取り付け可能または取り付けられる外側リングとを含み、内側リングおよび外側リングの一方は、少なくとも１つの磁石を含み、内側リングおよび外側リングの他方は、磁化可能な材料または磁石を含む。
【０００８】
これら２つのリングは、針が通ってリザーバのリザーバ壁を穿孔することができるニードルチャネルを形成し、かつ磁気的に互いに引き合うように配置され、それによって針がリザーバ内で定位置に画成され維持される。
【０００９】
例示的な一実施形態では、内側リングの磁化可能な材料は、生体適合性および／または薬物適合性材料を含む、またはそれらの材料からなるクラッド内に埋め込まれる。これによって、リザーバ内の薬剤が内側リング内の磁化可能な材料または磁石によって汚染されることが防止される。
【００１０】
例示的な一実施形態では、内側リングは、リザーバ壁に埋め込まれ、例えば、リザーバ壁は、互いに封止された少なくとも２つの層を含むことができ、内側リングはこれらの層のうちの２つの間に位置し、したがって内側リングはリザーバ壁に固定される。
【００１１】
例示的な別の実施形態では、内側リングは、リザーバ壁の内面に生物適合性および／または薬物適合性の接着剤で接着され、したがって内側リングはリザーバ壁に固定される。
【００１２】
例示的な一実施形態では、クラッドは、リザーバ壁と同じ材料、例えばエチレンビニルアセテートからなる。この材料によって、内側リングをリザーバ壁に熱封止することが可能となる。
【００１３】
例示的な一実施形態では、内側リングは、近位先端部がリザーバに挿入されたときに内側リングから突出しないように、外側リングから近位の針の長さからリザーバ壁の厚さを引いたもの少なくとも等しい厚さを呈する。
【００１４】
例示的な一実施形態では、内側リングは、近位先端部を中に配置可能な中央孔に対して実質的に横断方向に向いた１つまたはそれ以上の流路を含む。多数の流路を設けることによって、内側リングの外周面の多数の位置に針を流体連結することが可能となり、それによってリザーバが内側リングの周りで潰れるにつれて、リザーバがより完全に空になることが確実になる。例示的な一実施形態では、流路は、中央孔から半径方向に延びる。
【００１５】
例示的な別の実施形態では、内側リングは、近位方向に延びる保護ケージを含み、内側リングの厚さと、保護ケージの長さとの和は、近位先端部がリザーバに挿入されたときに保護ケージから突出しないように、外側リングから近位の針の長さからリザーバ壁の厚さを引いたもの少なくとも等しい。
【００１６】
例示的な一実施形態では、針は、外側リングに対して摺動可能に配置される。特に、磁化可能な固定リングが、針を覆った状態で廃棄可能とすることができ、固定リングは、針に対して軸方向の少なくとも一方向に固定可能であり、したがってリザーバに入ることが可能な針の長さを制限することができる。
【００１７】
例示的な一実施形態では、固定リングは、固定リングに対して針を軸方向に拘束することが可能となるように、針の外面に配置された一連の凹部のうちの１つに係合するように適用された、１つまたはそれ以上の弾性アームを含む。
【００１８】
例示的な一実施形態では、近位先端部付近の凹部のうちの１つは、近位先端部が固定リングによってカバーされるように、弾性アームをロックするように適用されている。したがって、針による穿刺外傷のリスクが軽減される。
【００１９】
例示的な一実施形態では、ニードルインターフェースは、薬剤を貯蔵するための、可撓性リザーバ壁を含む薬剤リザーバの一部である。
【００２０】
例示的な一実施形態では、薬物送達デバイスは、
−  薬剤リザーバからノズルに薬剤をポンプ供給するポンプと、
−  薬剤リザーバに連結されるように適用された近位先端部を有する中空針と
を含む。
【００２１】
本発明を適用可能なさらなる範囲は、以下に示す詳細な説明から明白となろう。しかし、詳細な説明、および具体的な例は、本発明の例示的な実施形態を示すものであり、例として示すものにすぎず、本発明の趣旨および範囲に含まれる様々な変更および改変が、この詳細な説明から当業者には明白となることを理解されたい。
【００２２】
本発明は、以下に示す詳細な説明、および単なる例示として示し、したがって本発明を限定するものではない添付の図面から、より完全に理解されよう。
【図面の簡単な説明】
【００２３】
【図１】薬剤リザーバをニードルインターフェースおよび針とともに示す例示的な一実施形態の概略図である。
【図２】ニードルインターフェースの内側リングの例示的な別の実施形態の概略図である。
【図３】薬剤リザーバをニードルインターフェースおよび一方向クラッチ機構を有する針とともに示す例示的なさらに別の実施形態の概略図である。
【図４】針が固定リングから延びた状態にある、一方向クラッチ機構の概略図である。
【図５】針が固定リングによってカバーされた状態にある、一方向クラッチ機構の概略図である。
【図６】薬剤リザーバをニードルインターフェースおよび中空針とともに示す例示的な一実施形態の概略図である。
【発明を実施するための形態】
【００２４】
すべての図にわたって、対応する部品には同じ参照符号が付されている。
【００２５】
図１は、薬剤リザーバ１を、ニードルインターフェース２および中空針３、例えば皮下注射針、または薬物送達デバイス１０をリザーバ１に連結するための針とともに示す例示的な一実施形態の概略図である。この薬物送達デバイスは、薬剤を薬剤リザーバ１からノズル１２、例えば皮下注射針にポンプ供給するポンプ１１を含むことができる。例示的な一実施形態では、ポンプ１１に動力供給する（ｐｏｗｅｒｉｎｇ）ためのエネルギー源１３、例えばバッテリまたはばねを設けてもよい。針３は、リザーバ１のリザーバ壁４を貫通するように適用された近位先端部３．１を含み、リザーバ１は可撓性リザーバでよい。例示的な一実施形態では、針３は、ポンプ１１に連結するために、薬物送達デバイス１０のセプタム１４または膜を貫通するように適用された遠位先端部３．２を含むことができる。針３は、遠位先端部３．２を用いてリザーバ壁４を貫通し、近位先端部３．１を用いてセプタム１４または膜を貫通することができるように配置することができる。例示的な他の実施形態では、針３は遠位先端部を含まず、ポンプ１１に、異なる形で恒久的に、または解放可能に連結してもよい。ニードルインターフェース２は、リザーバ１内、すなわちリザーバ壁４の内面４．１に配置された内側リング５、例えば剛性リングを含む。内側リング５は、磁化可能な材料５．１、すなわち磁石によって引きつけることができる材料、例えば鉄および／またはニッケルなどの強磁性体または強磁性材料を含む。針３は、少なくとも１つの磁石６．１、例えば永久磁石またはソレノイドを含む取付け外側リング６を含み、この磁石は、エネルギー源、例えば薬物送達デバイス１０のエネルギー源１３に連結することができる。外側リング６は、リザーバ１にある内側リング５に取り付けられると、針３の軸の一セクションを円周方向に取り囲み、針を定位置に保持し、それによってリザーバ壁４を内側リング５と外側リング６との間で保持し、針３の近位先端部３．１が内側リング５および外側リング６を通ってリザーバ壁４を貫通することが可能となる。内側リング５の磁化可能な材料５．１は、生体適合性材料および／または薬物適合性材料を含む、またはそれらの材料からなるクラッド５．２内に埋め込むことができる。これによって、リザーバ１内の薬剤が磁化可能な材料５．１によって汚染されることが防止される。
【００２６】
外側リング６、および針３は、再使用可能とすることができる。
【００２７】
代替実施形態では、内側リング５は、リザーバ壁４に埋め込まれていてもよく、例えば、リザーバ壁４は、互いに封止された少なくとも２つの層を含むことができ、内側リング５はこれらの層のうちの２つの間に位置することになる。別の代替実施形態では、内側リング５は、内面４．１に生体適合性および／または薬物適合性の接着剤で接着することができる。例示的な一実施形態では、内側リング５のクラッド５．２は、リザーバ壁４と同じ材料、例えばエチレンビニルアセテートからなることができる。この材料では、内側リング５をリザーバ壁４に対して加熱封止することが可能となる。
【００２８】
図２は、内側リング５の別の例示的な実施形態の概略図であり、この図では磁化可能な材料５．１は、図が見やすいように示されていない。近位先端部３．１が内側リング５を越えてリザーバ１内に突出し、リザーバ１が潰れるにつれて鋭利な近位先端部３．１がリザーバ１を損傷する危険のある図１の実施形態とは異なり、図２の実施形態では、内側リング５は、リザーバ１が近位先端部３．１によって損傷するのを保護するように適用されている。この目的で、内側リング５は、近位先端部３．１がリザーバ１に挿入されたときに内側リング５から突出しないように、外側リング６から近位の針３の長さからリザーバ壁４の厚さを引いたものに少なくとも等しい長さを呈する。リザーバ１から針３への流体の流れが遮られないよう確保するために、内側リング５は、近位先端部３．１がその中に配置される、または配置可能となる中央孔５．４に対して実質的に横断方向に向けることができる１つまたはそれ以上の流路５．３を含むことができる。特に、流路５．３は、中央孔５．４から半径方向に延ばすことができる。多数の流路５．３を設けることによって、内側リング５の外周面の多数の位置に針３を流体連結することが可能となり、それによってリザーバ１が内側リング５の周りで潰れるにつれて、リザーバ１がより完全に空になることが確実になる。例示的な代替実施形態では、流路５．３は、異なる方向に延ばしてもよい。
【００２９】
図３は、薬剤リザーバ１をニードルインターフェース２および針３とともに示す例示的なさらに別の実施形態の概略図である。針３は、リザーバ１のリザーバ壁４を貫通するように適用された近位先端部３．１を含み、リザーバ１は可撓性リザーバでよい。ニードルインターフェース２は、リザーバ１内、すなわちリザーバ壁４の内面４．１に配置された内側リング５、例えば、剛性リングを含む。内側リング５は、磁化可能な材料５．１、すなわち磁石によって引きつけることができる材料、例えば、鉄および／またはニッケルなどの強磁性体または強磁性材料を含む。外側リング６が針３に取り付けられ、この外側リング６は、少なくとも１つの磁石６．１、例えば永久磁石またはソレノイドを含み、この磁石は、エネルギー源、例えば薬物送達デバイス１０のエネルギー源１３に連結することができる。外側リング６は、リザーバ１にある内側リング５に取り付けられると、針３の軸の一セクションを円周方向に取り囲み、針を定位置に保持し、それによってリザーバ壁４を内側リング５と外側リング６との間で保持し、針３の近位先端部３．１が内側リング５および外側リング６を通ってリザーバ壁４を貫通することが可能となる。内側リング５の磁化可能な材料５．１は、生体適合性および／または薬物適合性材料を含む、またはそれらの材料からなるクラッド５．２内に埋め込むことができる。これによって、リザーバ１内の薬剤が磁化可能な材料５．１によって汚染されることが防止される。本実施形態では、内側リング５は、近位方向に延びる保護ケージ５．５を含み、内側リング５の厚さと、保護ケージ５．５の長さとの和は、近位先端部３．１がリザーバ１に挿入されたときに保護ケージ５．５から突出しないように、外側リング６から近位方向の針３の長さからリザーバ壁４の厚さを引いたものに少なくとも等しい。さらに、針３は、外側リング６に対して摺動可能に配置される。針３とリザーバ１との間の流体連通を確立するために、外側リング６は、内側リング５とは反対側でリザーバ１に取り付けられ、それによって針３を外側リング６および内側リング５を通して挿入できるようにする針用チャネルを形成している。磁化可能な固定リング７が、針３を覆って配設される。固定リング７は、針３に軸方向の少なくとも一方向に固定され、したがって針３がリザーバ１に入ることが可能な長さを制限している。
【００３０】
図３の実施形態では、固定リング７は、針３の動きをリザーバ１に向かう方向において制限するように配置されている。この目的で、固定リング７は、固定リング７の遠位側に配設された１つまたはそれ以上の弾性アーム７．１を含み、この弾性アーム７．１は、弛緩時に実質的に半径方向内方に向かい、針３の外面に配置された一連の凹部８のうちの１つと係合するように適用される、各凹部８は、針３の長手方向軸に対して実質的に横断方向に並び、この一連の凹部８は、針３の軸方向に沿って配設されている。したがって、固定リング７は、近位先端部３．１の方に動くことはできるが、近位先端部３．１から離れる方には動くことができない。
【００３１】
例示的な一実施形態では、固定リング７は、針３をリザーバ１から抜き取るときに、鋭利な近位先端部３．１付近の第２の位置まで自由に動き、そこで留まって、近位先端部３．１を覆う針安全デバイスとして働くように設計することができる。
【００３２】
針３を後退させるとき、固定リング７は、磁力によって外側リング６に保持される。針３は、弾性アーム７．１が凹部８に沿って近位先端部３．１の方へと跳んで弾性アーム７．１が鋭利な近位先端部３．１付近の凹部８のうちの１つにロックされるまで、固定リング７を通って後方に摺動する。固定リング７の針３に対する固定は、固定リング７を外側リング６から分離するように、磁力に打ち勝つほど十分強力である。次いで、近位先端部３．１は、固定リング７（図５参照）によってカバーされる。
【００３３】
弾性アーム７．１および凹部８によって、固定リング７中を通って針３を後退させることはできるが、リザーバ１に再度進めることはできないように確実にする一方向クラッチ機構９が形成される。
【００３４】
図４は、例えば、針３をリザーバ１中に挿入する前の、針３が固定リング７から延びた状態にある、一方向クラッチ機構９の概略図である。図５は、例えば、針３をリザーバ１から抜き取った後の、針３が固定リング７によってカバーされた状態にある、一方向クラッチ機構９の概略図である。
【００３５】
図３の保護ケージ５．５はまた、図１の実施形態と組み合わせることができる。
【００３６】
磁化可能な材料５．１を含む内側リング５は、磁性外側リング６内の磁石６．１に比べてかなり安価であるため、磁性外側リング６を針３に配置し、磁化可能内側リング５をリザーバ１内に配置することによって、コストが削減される。
【００３７】
先に述べた実施形態はすべて、磁石６．１を有する内側リング５および磁化可能な材料５．１を有する外側リング６を用いて改変することができる。同様に、内側リング５および外側リング６の両方ともが磁石を含んでもよい。以下では、磁石６．１を有する内側リング５と、磁化可能な材料５．１を有する外側リング６とを有する例について説明する。
【００３８】
図６は、薬剤リザーバ１を、ニードルインターフェース２および中空針３、例えば皮下注射針、または薬物送達デバイス１０をリザーバ１に連結する針とともに示す例示的な実施形態の概略図である。この薬物送達デバイスは、薬剤を薬剤リザーバ１からノズル１２、例えば皮下注射針にポンプ供給するポンプ１１を含むことができる。例示的な一実施形態では、ポンプ１１に動力供給するためのエネルギー源１３、例えばバッテリまたはばねを設けてもよい。針３は、リザーバ１のリザーバ壁４を貫通するように適用された近位先端部３．１を含み、リザーバ１は可撓性リザーバでよい。ニードルインターフェース２は、リザーバ１内、すなわちリザーバ壁４の内面４．１に配置された内側リング５、例えば剛性リングを含む。内側リング５は、少なくとも１つの磁石６．１、例えば永久磁石またはソレノイドを含み、この磁石は、エネルギー源、例えば薬物送達デバイス１０のエネルギー源１３に連結することができる。針３は、磁化可能な材料５．１、すなわち磁石によって引きつけることができる材料、例えば鉄および／またはニッケルなどの強磁性体または強磁性材料を含む取付け外側リング６を含む。外側リング６は、リザーバ１にある内側リング５に取り付けられると、針３の軸の一セクションを円周方向に取り囲み、針を定位置に保持し、それによってリザーバ壁４を内側リング５と外側リング６との間で保持し、針３の近位先端部３．１が内側リング５および外側リング６を通ってリザーバ壁４を貫通することが可能となる。内側リング５の磁石６．１は、生体適合性および／または薬物適合性材料を含む、またはそれらの材料からなるクラッド５．２内に埋め込むことができる。これによって、リザーバ１内の薬剤が磁石６．１によって汚染されることが防止される。
【００３９】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００４０】
インスリン類似体は、例えば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００４１】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００４２】
エキセンジン−４は、例えば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００４３】
エキセンジン−４誘導体は、例えば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００４４】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００４５】
ホルモンは、例えば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００４６】
多糖類としては、例えば、グルコサミノグリカン、ヒアルロン酸、ヘパリン、低分子量ヘパリン、もしくは超低分子量ヘパリン、またはそれらの誘導体、または上述の多糖類の硫酸化形態、例えば、ポリ硫酸化形態、および／または、薬学的に許容されるそれらの塩がある。ポリ硫酸化低分子量ヘパリンの薬学的に許容される塩の例としては、エノキサパリンナトリウムがある。
【００４７】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４８】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（例えば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００４９】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００５０】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００５１】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００５２】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００５３】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００５４】
薬学的に許容される塩は、例えば、酸付加塩および塩基性塩である。酸付加塩としては、例えば、ＨＣｌまたはＨＢｒ塩がある。塩基性塩は、例えば、アルカリまたはアルカリ土類、例えば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００５５】
薬学的に許容される溶媒和物は、例えば、水和物である。
【００５６】
本明細書に記載の装置、方法、および／またはシステム、ならびに実施形態の様々な構成要素には、本発明の全範囲および趣旨から逸脱することなく改変（追加および／または削除）を行うことができ、こうしたあらゆる改変形態およびその均等物も、本発明の全範囲および趣旨に含まれることが当業者には理解されよう。
【符号の説明】
【００５７】
１  リザーバ
２  ニードルインターフェース
３  針
３．１  近位先端部
３．２  遠位先端部
４  リザーバ壁
４．１  内面
５  内側リング
５．１  磁化可能な材料
５．２  クラッド
５．３  流路
５．４  中央孔
５．５  保護ケージ
６  外側リング
６．１  磁石
７  固定リング
７．１  弾性アーム
８  凹部
９  一方向クラッチ機構
１０  薬物送達デバイス
１１  ポンプ
１２  ノズル
１３  エネルギー源
１４  セプタム
【図１】
0006702975.tif 000002
【図２】
0006702975.tif 000003
【図３】
0006702975.tif 000004
【図４】
0006702975.tif 000005
【図５】
0006702975.tif 000006
【図６】
0006702975.tif 000007